(57)【要約】【課題】変化に富んだ意匠であると共に、換気、十分な採光、透視が得られる建具体とすることである。【解決手段】枠体１の上枠部１ａに上羽板２、上下中間枠部１ｂに面材３、下枠材１ｃに下羽板４を取付け、その上枠部１ａ、下枠部１ｃで換気できると共に、面材３を通して十分な採光、透視ができ、変化に富んだ意匠にできるようにし、その上羽板２、下羽板４を回転して閉じ姿勢、開き姿勢とする操作部を縦枠１２の上下中間部に取付けて上羽板２、下羽板４を回転する操作がやり易いようにする。【選択図】図１
2009185459.tif 000002
【特許請求の範囲】
【請求項１】
枠体の枠部における上部に複数の上羽板を取付け、上下中間部に面材を装着し、下部に複数の下羽板を取付け、
前記枠体の上下中間部に、前記各上羽板、各下羽板を閉じ姿勢と開き姿勢に回転する操作部を設けたことを特徴とする建具体。
【請求項２】
各上羽板を回転する上用操作部と、各下羽板を回転する下用操作部を設けて各上羽板と各下羽板を独立して回転できるようにした請求項１記載の建具体。
【請求項３】
枠体の縦材に各上羽板を支持軸で回転自在に支持し、この各支持軸は上のレバーを有し、この各上のレバーを上の連動杆で連結し、
前記縦材に各下羽板を支持軸で回転自在に支持し、
この各支持軸は下のレバーを有し、この各下のレバーを下の連動杆で連結し、
前記縦材における面材を装着した上下中間部に、前記上の連動杆を上下に移動する上用操作部と、前記下の連動杆を上下に移動する下用操作部を取付けた請求項２記載の建具体。
【請求項４】
上用操作部は、手動で操作される操作手段と、この操作手段の動作を上の連動杆に伝達する伝達手段を備え、
その伝達手段は、縦材に揺動自在に取付けた伝達用レバーと、前記操作手段の動作で回転する伝達用歯車を有し、この伝達用レバーと伝達用歯車と上の連動杆をピンによって回転自在に連結し、
下用操作部は、手動で操作される操作手段と、この操作手段の動作を上の連動杆に伝達する伝達手段を備え、
その伝達手段は、縦材に揺動自在に取付けた伝達用レバーと、前記操作手段の動作で回転する伝達用歯車を有し、この伝達用レバーと伝達用歯車と上の連動杆をピンによって回転自在に連結した請求項３記載の建具体。
【請求項５】
伝達用歯車の軸孔と伝達用レバーの軸孔を挿通した取付用軸杆を、縦材における面材を装着した上下中間部に固定することで伝達用歯車と伝達用レバーを縦材に回転自在に取付けた請求項４記載の建具体。
【請求項６】
上横材と下横材と左右の縦材と上中桟と下中桟とで上枠部、中間枠部、下枠部を有した枠体とし、
前記左右の縦材における上中桟と下中桟との間に縦桟をそれぞれ取付け、この左右の縦桟と上中桟、下中桟とに亘って面材を装着した請求項１〜５いずれか１項に記載の建具体。
【発明の詳細な説明】
【技術分野】
【０００１】
本発明は、室内の間仕切り、障子、扉、窓等の建具体に関する。
【背景技術】
【０００２】
従来、建具体としては枠体の枠部全体にガラス、パネル板などの面材を装着したものが一般的であるが、枠体の枠部全体に羽板を取付けてガラリ、ルーバとした建具体が提案されている。
例えば、特許文献１に開示したように、枠体の枠部全体に複数のフィン（羽板）を閉じ姿勢と開き姿勢とに亘って回転自在に取付けたルーバーと呼ばれる建具体が提案されている。
【特許文献１】特許第３５５００８８号公報
【発明の開示】
【発明が解決しようとする課題】
【０００３】
前述した面材を装着した建具体は、枠体の枠部全体に面材が見えるし、羽板を装着した建具体は、枠体の枠部全体に羽板が見えるので、両者とも変化の乏しい意匠の建具体である。
また、面材を装着した建具体は枠体の枠部全体から採光したり、透視することができるが、空気が流通しないから換気できない。
また、羽板を装着した建具体は空気が流通するから換気できるが、上下に隣接した羽板間から採光したり、透視するので、採光、透視が不十分である。
【０００４】
本発明の目的は、変化に富んだ意匠であること、換気ができること、十分な採光、透視を得ることができることを満足し、羽板を回転する操作がやり易いようにした建具体とすることである。
【課題を解決するための手段】
【０００５】
本発明は、枠体の枠部における上部に複数の上羽板を取付け、上下中間部に面材を装着し、下部に複数の下羽板を取付け、
前記枠体の上下中間部に、前記各上羽板、各下羽板を閉じ姿勢と開き姿勢に回転する操作部を設けたことを特徴とする建具体である。
【０００６】
本発明においては、各上羽板を回転する上用操作部と、各下羽板を回転する下用操作部を設けて各上羽板と各下羽板を独立して回転できるようにできる。
このようにすれば、上羽板と下羽板を独立して閉じ姿勢と開き姿勢として枠体の枠部における上部、下部を独立して閉じ状態、開き状態にできるので、上部と下部とで換気したり、上部と下部の一方で換気できるから、換気量を調整できる。
【０００７】
本発明においては、枠体の縦材に各上羽板を支持軸で回転自在に支持し、この各支持軸は上のレバーを有し、この各上のレバーを上の連動杆で連結し、
前記縦材に各下羽板を支持軸で回転自在に支持し、
この各支持軸は下のレバーを有し、この各下のレバーを下の連動杆で連結し、
前記縦材における面材を装着した上下中間部に、前記上の連動杆を上下に移動する上用操作部と、前記下の連動杆を上下に移動する下用操作部を取付けできる。
このようにすれば、上用操作部を操作して上の連動杆を上下に移動することで上羽板を回転できるし、下用操作部を操作して下の連動杆を上下に移動することで下羽板を回転できる。
【０００８】
本発明においては、上用操作部は、手動で操作される操作手段と、この操作手段の動作を上の連動杆に伝達する伝達手段を備え、
その伝達手段は、縦材に揺動自在に取付けた伝達用レバーと、前記操作手段の動作で回転する伝達用歯車を有し、この伝達用レバーと伝達用歯車と上の連動杆をピンによって回転自在に連結し、
下用操作部は、手動で操作される操作手段と、この操作手段の動作を上の連動杆に伝達する伝達手段を備え、
その伝達手段は、縦材に揺動自在に取付けた伝達用レバーと、前記操作手段の動作で回転する伝達用歯車を有し、この伝達用レバーと伝達用歯車と上の連動杆をピンによって回転自在に連結できる。
このようにすれば、操作手段で伝達用歯車を回転することで、伝達用レバーが揺動して上の連動杆、下の連動杆が上下に移動し、上のレバー、下のレバーが揺動して上羽板、下羽板が回転する。
したがって、上用操作部で上羽板、下用操作部で下羽板をそれぞれ確実に回転することができる。
【０００９】
本発明においては、伝達用歯車の軸孔と伝達用レバーの軸孔を挿通した取付用軸杆を、縦材における面材を装着した上下中間部に固定することで伝達用歯車と伝達用レバーを縦材に回転自在に取付けできる。
このようにすれば、縦材の面材を装着した部分に伝達用歯車と伝達用レバーを回転自在に取付けできるので、上羽板、下羽板が存在しない部分に上用操作部、下用操作部を取付けできる。
【００１０】
本発明においては、上横材と下横材と左右の縦材と上中桟と下中桟とで上枠部、中間枠部、下枠部を有した枠体とし、
前記左右の縦材における上中桟と下中桟との間に縦桟をそれぞれ取付け、この左右の縦桟と上中桟、下中桟とに亘って面材を装着できる。
このようにすれば、縦材の上羽板、下羽板を取付ける部分と縦桟を取付ける部分を平坦面とすることができるので、上羽板、下羽板を縦材に簡単に取付けできる。
【発明の効果】
【００１１】
本発明によれば、枠体の上部には上羽板が見え、上下中間部には面材が見え、下部には下羽板が見えるので、変化に富んだ意匠の建具体とすることができる。
また、上羽板、下羽板を開き姿勢とすることで枠体の枠部における上部、下部を開き状態とすることによって、換気ができる。
また、面材から採光、透視できるので、十分な採光、透視を得ることができる。
また、上羽板、下羽板を回転する操作部は、枠体の上下中間部に取付けてあるので、上羽板、下羽板を回転する操作がやり易い。
【発明を実施するための最良の形態】
【００１２】
図１に示すように、枠体１の枠部における上部に、複数の上羽板２が閉じ姿勢と開き姿勢とに亘って回転可能に取付けてルーバーやガラリなどの開閉部としてある。
前記枠体１の枠部における上下中間部に面材３を装着して面材部としてある。
前記枠体１の枠部における下部に、複数の下羽板４を閉じ姿勢と開き姿勢とに亘って回転可能に取付けてルーバーやガラリなどの開閉部としてある。
【００１３】
前記枠体１は、上横材１０と下横材１１と左右の縦材１２，１２を方形状に連結し、その左右の縦材１２，１２間に亘って上中桟１３と下中桟１４をそれぞれ連結してある。
前記上横材１０と上中桟１３と左右の縦材１２，１２の上部寄りとで上枠部１ａを形成している。この上枠部１ａが前述の枠部における上部である。
前記上中桟１３と下中桟１４と左右の縦材１２，１２の上下中間部とで上下中間枠部１ｂを形成している。この上下中間枠部１ｂが前述の枠部における上下中間部である。
前記下中桟１４と下横材１１と左右の縦材１２，１２の下部寄りとで下枠部１ｃを形成している。この下枠部１ｃが前述の枠部における下部である。
【００１４】
前記枠体１、例えば左右一方の縦材１２の上下中間部に、上用操作部５、下用操作部６が取付けてある。
この上用操作部５を手動で操作することで、前記上羽板２が閉じ姿勢、開き姿勢に回転するようにしてある。これによって、枠体１の上枠部１ａを閉じ状態、開き状態とすることができる。
前記下用操作部６を手動で操作することで、前記下羽板４が閉じ姿勢、開き姿勢に回転するようにしてある。これによって、枠体１の下枠部１ｃを閉じ状態、開き状態とすることができる。
【００１５】
前述の説明で、上羽板２の閉じ姿勢とは図２に実線で示すように、上下に隣接した上羽板２の幅方向端部同士が重なり合うこと、最上方の上羽板２の幅方向端部が上横材１０に重なり合うこと、最下方の上羽根２の幅方向端部が上中桟１３に重なり合うことである。
そして、上枠部１ａの閉じ状態とは上枠部１ａ全体を上羽板２で閉塞することである。
また、上羽根２の開き姿勢とは、図２で仮想線で示すように上下に隣接した上羽板２が離隔すること、最上方の上羽板２と下横材１０が離隔すること、最下方の上羽根２が上中桟１３と離隔することである。
そして、上枠部１ａの開き状態とは、上下に隣接した上羽板２間、最上方の上羽板２と上横材１０間、最下方の上羽板２と上中桟１３の間に隙間が生じ、空気が流通することである。なお、光が通ると共に、見込み方向の一方から他方を目視できるようにしても良い。
【００１６】
また、下羽板４の閉じ姿勢とは図２で実線で示すように、前述の上羽板２の閉じ姿勢と同様である。
前記下羽板４の開き姿勢とは図２で仮想線で示すように前述の上羽板２の開き姿勢と同様である。
そして、下枠部１ｃの閉じ状態とは前述の上枠部１ａの閉じ状態と同様に下枠部１ｃ全体を閉塞することである。
前記下枠部１ｃの開き状態とは前述の上枠部１ａの開き状態と同様に空気が流通することである。なお、光が通ると共に、見込み方向の一方から他方を目視できるようにしても良い。
【００１７】
前述したように、枠体１の枠部における上部と下部が複数の羽板が見える意匠で、上下中間部が面材３が見える意匠であるから、変化に富んだ意匠の建具体である。
【００１８】
また、上用操作部５、下用操作部６を独立して手動で操作することで、上羽板２、下羽板４をそれぞれ独立して閉じ姿勢、開き姿勢とすることができるから、枠体１の上枠部１ａ（枠部における上部）と下枠部１ｃ（枠部における下部）を閉じ状態、開き状態とすることができる。
したがって、枠体１の枠部における上部、下部を開き状態とすることで換気ができる。
また、上下中間部の面材３を通して採光、透視できるので、十分な採光、透視を得ることができる。
【００１９】
前述した実施の形態では上用操作部５と下用操作部６を有しているから、上枠部１ａ、下枠部１ｃを独立して閉じ姿勢、開き姿勢とすることができるので、枠体１の枠部における上部と下部の一方のみを開き状態とし、他方を閉じ状態とすることもできる。
【００２０】
したがって、換気する部分の面積を大きくしたり、小さくしたりして換気量を調整できる。
【００２１】
前記上用操作部５、下用操作部６は、左右一方の縦材１２における上下中間部にそれぞれ取付けてあるから、上用操作部５、下用操作部６を利用者が普通の姿勢で簡単に手で操作できる。
したがって、上羽板２、下羽板４、を閉じ姿勢と開き姿勢とに回転する操作がやり易い。
【００２２】
次に、各部材の具体形状を説明する。
前記上横材１０は図２に示すように、見込み方向中間に内向突部１０ａを有し、この内向突部１０ａに最上方の上羽板２の幅方向端部が重なり合う。前述の見込み方向とは、図２で左右方向に向かう方向（面外方向）である。
この上横材１０は、取付金具２０で上取付部（例えば天井）７に取付けられる。
前記取付金具２０は上横材１０の見込み方向の一側面１０ｂにビス２１で固着される一側金具２２と、上横材１０の見込み方向の他側面１０ｃにビス２３で固着される他側金具２４と、一側カバー２５、他側カバー２６を備えている。
前記一側金具２２は縦板２２ａと横板２２ｂと係止受片２２ｃを有し、その縦板２２ａが前記一側面１０ｂにビス２１で固着され、横板２２ｂが他側面１０ｃ方向に向かう。
前記横板２２ｂが上取付部７にビス２７で固着して取付けられる。
前記他側金具２４は、前記横板２２ｂの他側寄りと係止して連結される。
前記一側カバー２５は縦板２２ａの上部寄りに係止して取付け、その縦板２２ａと一側面１０ｂを覆う。
前記他側カバー２５は、前記係止受片２２ｃに係止して取付け、他側金具２４及び他側面１０ｃを覆う。
【００２３】
このようであるから、上横材１０の上取付部７への取付部分が一側カバー２５、他側カバー２６で覆われて目視されないので、見栄えが良い。
したがって、室内間仕切りとして用いる場合に好ましい。
【００２４】
前記下横材１１の見込み方向中間には内向突部１１ａと下向き凹部１１ｂを有している。
この内向突部１１ａが最も下の下羽板４の幅方向端部と重なり合う。
前記下向き凹部１１ｂを、下取付部（例えば、床）８に取付けた支持部材９に嵌合して下横材１１を下取付部８に載置して取付ける。
【００２５】
前述のように、枠体１を上取付部７と下取付部８との間に取付ける場合には、その枠体１の全高を上取付部７と下取付部８との間の高さ寸法に応じて調整することが好ましい。
しかしながら、上羽板２、下羽板４が上横材１０、上中桟１３、下中桟１４、下横材１１と重なり合うので、上横材１０と上中桟１３との間の寸法（上枠部１ａの上下寸法）は、上羽板２の幅寸法と枚数で決まる。
また、下中桟１４と下横材１１との間の寸法（下枠部１ｃの上下寸法）は、下羽板４の幅寸法と枚数で決まる。
したがって、枠体１の全高（上下寸法）は、上・下羽板２，４の枚数を増減して調整することになるので、枠体１の全高を、上・下羽板２，４の幅寸法よりも小さい寸法範囲内で調整できない。
【００２６】
そこで、本発明では、上中桟１３を中桟本体３０と、その中桟本体３０の上部に上下方向に移動可能に設けた上中桟アタッチメント３１を備え、その上下方向の寸法を調整可能とした。
また、下中桟１４を中桟本体３２と、その中桟本体３２の下部に上下方向に移動可能に設けた下中桟アタッチメント３３を備え、その上下方向の寸法を調整可能とした。
そして、前記各中桟本体３０，３２と上中桟アタッチメント３１、下中桟アタッチメント３３の長手方向両端を左右の縦材１２にそれぞれ固着し、上中桟アタッチメント３１に上羽板２の幅方向端部が重なり、下中桟アタッチメント３３に下羽板４の幅方向端部が重なるようにする。
例えば、各中桟本体３０，３２、上中桟アタッチメント３１、下中桟アタッチメント３３にビスホール３０ａ，３２ａ，３１ａ，３３ａをそれぞれ長手方向に連続して形成し、縦材１２からビスをビスホール３０ａ，３２ａ，３１ａ，３３ａに螺合して固着するようにする。
【００２７】
このようにすれば、縦材１２の長さを変えて枠体１の全高を調整した時には、上中桟アタッチメント３１、下中桟アタッチメント３３を中桟本体３０，３２に対して上下方向に移動して上下方向の寸法を調整することで上枠部１ａ、下枠部１ｃの上下寸法を同一とすることができる。
したがって、枠体１の全高を上羽板２、下羽板４の幅寸法よりも小さい寸法範囲で調整できる。
また、前述のような各中桟本体３０，３２、上中桟アタッチメント３１、下中桟アタッチメント３３で調整する以外にも、面材３の上下方向の寸法を適宜調整することでも対応できる。
【００２８】
前記上中桟１３の中桟本体３０の下部には面材装着用の下向凹部３０ｂを有し、前記下中桟１４の中桟本体３２の上部には面材装着用の上向凹部３２ｂを有している。
前記上横桟１０の内向突部１０ａの幅（見込み方向の寸法）と、上羽板２の厚さと、上中桟アタッチメント３１の幅を同一としてある。
また、下横桟１１の内向突部１１ａの幅と、下羽板４の厚さと、下中桟アタッチメント３３の幅を同一としてある。
【００２９】
前記上中桟１３と下中桟１４は同一形状、大きさで、上下反転したものとしてある。
このようにすれば、中桟本体と中桟アタッチメントを有した中桟を製作し、その中桟を上下に反転して取付けることで上中桟１３、下中桟１４とすることができる。
なお、上中桟１３、下中桟１４を異なる形状としても良い。
【００３０】
次に、上羽板２、下羽板４の取付けについて説明する。
図２と図３に示すように、上羽板２、下羽板４の長手方向両端部が左右の縦材１２に支持軸４０で閉じ姿勢と開き姿勢とに亘って回転自在に取付けてある。
例えば、縦材１２の見込み方向に向かう基板１２ａに取付孔４１を形成し、支持軸４０を取付孔４１に回転自在に支承し、その支持軸４０を上羽板２、下羽板４の取付用空間部２ａ，４ａに嵌合して固定する。前記取付用空間部２ａ，４ａは上羽板２、下羽板４の幅方向、厚さ方向の中央に長手方向に連続して形成してある。
【００３１】
前記縦材１２は、前記基板１２ａと、その見込み方向一端に設けた一側外向板１２ｂと、基板１２ａの見込み方向他端に設けた他側外向板１２ｃで外向コ字形状で、カバー１２ｄを着脱自在に取付けて中空部１２ｅを有している。
【００３２】
次に、面材３の装着について説明する。
図２に示すように、面材３の上縁部が上中桟１３の中桟本体３０の下向き凹部３０ｂにガスケット３４で装着してある。
前記面材３の下縁部が下中桟１４の中桟本体３２の上向き凹部３２ｂにガスケット３４で装着してある。
図４に示すように、縦材１２の基板１２ａには面材装着用の縦桟３５がビス３６で固着して取付けてある。
この縦桟３５は面材装着用の内向凹部３５ａを有し、その内向凹部３５ａに面材３の左右の縦縁部がガスケット３４で装着してある。
前記面材３は、ガラス、樹脂プレート、金属プレート、木材プレートなどが用いられる。
【００３３】
このようにすれば、縦材１２の基板１２ａ、つまり上羽板２、下羽板４を取付ける部分が、内向凹部を有しない平坦面の形状であるから、上羽板２、下羽板４を簡単に取付けできる。
つまり、縦材１２の基板１２ａに面材３を直接取付けるには、縦材１２の基板１２ａを内向凹部を有する形状としなければならず、上羽板２、下羽板４の取付けが、その内向凹部のために面倒となってしまう。
これに対して、前述のように縦桟３５を取付ければ、縦材１２の基板１２ａを平坦面にすることができる。
【００３４】
次に、上羽板２、下羽板４を回転する構成について説明する。
図３と図５に示すように、各上羽板２、各下羽板４の左右一方に設けた支持軸４０は上のレバー４２、下のレバー４３をそれぞれ有している。
例えば、上レバー４２、下レバー４３を一体に備えた支持軸４０とする。または、支持軸４０の基板１２ａの外側面側の鍔部４０ａに上のレバー４２、下のレバー４３の基部を嵌合して固定する。
前記各上のレバー４２は上の連動杆４４で連結され、その上の連動杆４４が上下、見込み方向に移動することで上のレバー４２が揺動して各上羽板２が同期して回転し閉じ姿勢、開き姿勢となるようにしてある。
例えば、上のレバー４２に設けたピン４２ａを上の連動杆４４の孔４４ａに回転自在に嵌合して連結している。
前記各下のレバー４３は下の連動杆４５で連結され、その下の連動杆４５が上下、見込み方向に移動することで下のレバー４３が揺動して各下羽板４が同期して回転し、閉じ姿勢、開き姿勢となるようにしてある。
例えば、下のレバー４３に設けたピン４３ａを下の連動杆４５の孔４５ａに回転自在に嵌合して連結している。
【００３５】
図１では、上羽板２、下羽板４が３枚以上であるが、図２、図５では２枚として図示してある。図５は、左右一方の縦材１２の一側・他側外向板１２ｂ，１２ｃの中間部分から見た枠体の右側面図である。
【００３６】
前記上用操作部５は図４と図５に示すように、手動で動作される操作手段５０と、この操作手段５０の動作を上の連動杆４４の上下、見込み方向の移動に伝達する伝達手段６０を備えている。
前記操作手段５０は図６に示すように、ハウジング５１にラック５２を上下移動自在に設け、そのラック５２に摘み５３を設けてある。
そして、前記ハウジング５１が図４、図５に示すように、縦材１２の一側外向板１２ｂに形成した開口部５４に挿入して取付けられ、見込み方向一側から摘み５３を持ってラック５２を上下に移動できるようにしてある。
【００３７】
前記伝達手段６０は、図４、図５に示すように、前記左右一方の縦板１２の基板１２ａにおける上下中間部（前記中間枠部１ｂを形成する部分）に揺動自在に取付けた伝達用レバー６１と、この伝達用レバー６１に、その揺動中心を中心として回転自在に取付けた伝達用歯車６２を備え、その伝達用歯車６２が前記ラック５２の歯５２ａに噛合している。
前記伝達用レバー６１の先端部に設けたピン６１ａが、前記上の連動杆４４の孔４４ａと伝達用歯車６２の孔６２ａに回転自在に嵌合している。
前記伝達用レバー６１の揺動中心からピン６１ａの中心までの距離は、前記上のレバー４２の揺動中心からピン４２ａの中心までの距離と等しい。
【００３８】
このようであるから、上用操作部５の摘み５３を手で持ってラック５２を上下に移動すると伝達用歯車６２が正逆回転し、それによって伝達用レバー６１が揺動して上の連動杆４４が上下、見込み方向に移動するので、各上羽板２が同時に回転して閉じ姿勢、開き姿勢となる。
【００３９】
前記下用操作部６は、前記上用操作部５と同様の操作手段５０と伝達手段６０を備え、その操作手段５０の摘み５３を手で持ってラック５２を上下に移動すると伝達用歯車６２が回転して下の連動杆４５が上下、見込み方向に移動し、各下羽板４が同時に回転して閉じ姿勢、開き姿勢となる。
【００４０】
前記伝達用レバー６１と伝達用歯車６２の取付けを図７に基づいて説明する。
取付用軸杆６３を、伝達用レバー６１の軸孔６１ｂ、伝達用歯車６２の軸孔６２ｂを挿通して縦板１２の基板１２ａ、縦桟３５に固定、例えばネジ止めすることで、伝達用レバー６１、伝達用歯車６２を回転自在に取付ける。
【００４１】
このようであるから、縦材１２に伝達用レバー６１と伝達用歯車６２を回転自在に取付けできる。
したがって、縦材１２の羽板が存在しない上下中間部に上用操作部５、下用操作部６を取付けできるので、その上用操作部５、下用操作部６を使用者が普通の姿勢で容易に操作できる。
【００４２】
前述の実施の形態では、上羽板２、下羽板４を上用操作部５、下用操作部６でそれぞれ独立して回転したが、上羽板２と下羽板４を１つの操作部で同時に回転するようにしても良い。
例えば、前述の上の連動杆４４と下の連動杆４５を一体又は連結材で連結すれば、上用操作部５又は下用操作部６で上羽板２と下羽板４を同時に回転できる。
【図面の簡単な説明】
【００４３】
【図１】本発明の実施の形態を示す建具体の内観図である。
【図２】図１のＡ−Ａ断面図である。
【図３】図１のＢ−Ｂ断面図である。
【図４】図１のＣ−Ｃ断面図である。
【図５】枠体の右側面図である。
【図６】操作手段の斜視図である。
【図７】図５のＤ−Ｄ拡大断面図である。
【符号の説明】
【００４４】
１…枠体、１ａ…上枠部、１ｂ…上下中間枠部、１ｃ…下枠部、２…上羽板、３…面材、４…下羽板、５…上用操作部、６…下用操作部、１０…上横材、１１…下横材、１２…縦材、１２ａ…基板、１３…上中桟、１４…下中桟、４０…支持軸、４２…上のレバー、４２ａ…ピン、４３…下のレバー、４３ａピン、４４…上の連動杆、４４ａ…孔、４５…下の連動杆、４５ａ…孔、５０…操作手段、５２…ラック、５３…摘み、６０…伝達手段、６１…伝達用レバー、６１ａ…ピン、６２…伝達用歯車、６２ａ…孔、６３…取付用軸杆。
【図１】
2009185459.tif 000003
【図２】
2009185459.tif 000004
【図３】
2009185459.tif 000005
【図４】
2009185459.tif 000006
【図５】
2009185459.tif 000007
【図６】
2009185459.tif 000008
【図７】
2009185459.tif 000009